(57)【特許請求の範囲】
【請求項１】
携帯端末機であって、
少なくとも一つの設定温度値及び解除温度値に関するデータを格納するメモリと、
前記携帯端末機の温度を感知する温度感知部と、
熱を放出する表示部を含む少なくとも１つのモジュールと、
制御部とを有し、
前記制御部は、正常動作モードにおいて、前記温度感知部で感知された温度と前記少なくとも一つの設定温度値を比べ、
前記温度感知部において感知された温度が前記少なくとも一つの設定温度値よりも大きい場合、前記少なくとも１つのモジュールのモードを前記正常動作モードから発熱制限モードに変更し、
前記発熱制限モードにおいて、前記温度感知部で感知された温度と前記解除温度値を比べて、
前記温度感知部において、感知された温度が前記解除温度値よりも低い場合、前記少なくとも一つのモジュールのモードを前記発熱制限モードから前記正常動作モードに変更するように制御し、
前記表示部の最大明るさは、前記正常動作モードにおいて、第１最大明るさに設定され、さらに前記発熱制限モードにおいて、第２最大明るさに設定され、
前記第２最大明るさは、前記第１最大明るさより暗く、
前記少なくとも一つの設定温度値は、前記解除温度値よりも高く、
前記メモリは、第１設定温度と、前記第１設定温度より低い第２設定温度と、及び前記第１設定温度未満であり、前記第２設定温度以上を維持する維持時間とをさらに格納し、
前記制御部は、正常動作モード時に、
前記温度感知部において、感知された温度が前記第１設定温度よりも高い場合、前記発熱制限モードを実行し、
前記温度感知部に感知された温度が前記第１設定温度未満であり前記第２設定温度以上で前記維持時間を維持する場合、前記発熱制限モードを実行するように制御することを特徴とする携帯端末機。
【請求項２】
前記少なくとも１つのモジュールは、カメラを含み、
前記制御部は、前記発熱制限モード時に、前記カメラの映像フレームレート（ｖｉｄｅｏ  ｆｒａｍｅ  ｒａｔｅ）及び解像度（ｒｅｓｏｌｕｔｉｏｎ）を所定の設定された値に低減するように制御することを特徴とする請求項１に記載の携帯端末機。
【請求項３】
前記表示部は、ＬＣＤ（ｌｉｑｕｉｄ  ｃｒｙｓｔａｌ  ｄｉｓｐｌａｙ）  またはＬＥＤ（ｌｉｇｈｔ  ｅｍｉｔｔｉｎｇ  ｄｉｏｄｅ）ディスプレイを含み、
前記制御部は、前記発熱制限モード時に、前記表示部に伝送される表示データのフレームレートを低減するように制御することを特徴とする請求項１に記載の携帯端末機。
【請求項４】
前記少なくとも一つのモジュールは、前記制御部を含み、
前記制御部は、前記発熱制限モード時に、前記制御部のシステムクロックを所定の設定されたクロックに低減するように制御することを特徴とする請求項１に記載の携帯端末機。
【請求項５】
前記少なくとも一つのモジュールは、充電部を含み、
前記制御部は、前記発熱制限モード時に、前記充電部の充電モードでの充電電流量を低減するように制御することを特徴とする請求項４に記載の携帯端末機。
【請求項６】
前記制御部は、前記発熱制限モード時に、前記表示部に伝送される表示データの伝送レート（ｔｒａｎｓｆｅｒ  ｒａｔｅ）を１／２に低減するように制御することを特徴とする請求項４に記載の携帯端末機。
【請求項７】
前記少なくとも一つのモジュールは、カメラ、前記制御部及び充電部のうち、少なくとも一つであり、
前記制御部は、前記発熱制限モード時に前記カメラの映像フレームレート及び解像度を所定の設定された値に低減するように制御し、前記表示部に伝送される表示データの明るさを低減するように制御し、さらに前記充電部の充電電流量を低減するように制御し、前記制御部のシステムクロックを低減するように制御することを特徴とする請求項１に記載の携帯端末機。
【請求項８】
前記制御部は、前記発熱制限モード時に、前記表示部に伝送される表示データのフレームレートを６０Ｈｚから３０Ｈｚに低減するように制御することを特徴とする請求項７に記載の携帯端末機。
【請求項９】
前記制御部は、発熱制限モード時に、前記カメラの前記映像フレームレート及び解像度を１／２に低減し、前記表示部に伝送される前記表示データの伝送レートを１／２に低減するように制御することを特徴とする請求項８に記載の携帯端末機。
【請求項１０】
携帯端末機の温度制御方法であって、
前記携帯端末機は、少なくとも一つの設定温度値及び解除温度値に関するデータを格納するメモリと、前記携帯端末機の温度を感知する温度感知部と、熱を放出する表示部を含む少なくとも１つのモジュールとを含み、
前記方法は、正常動作モードにおいて、前記温度感知部で感知された温度と前記少なくとも一つの設定温度値を比べる動作と、
前記温度感知部において、感知された温度が前記少なくとも一つの設定温度値よりも大きい場合、前記少なくとも一つのモジュールのモードを前記正常動作モードから発熱制限モードに変更する動作と、
前記発熱制限モードで前記温度感知部において、感知された温度と前記解除温度値を比べる動作と、
前記温度感知部において、感知された温度が前記解除温度値よりも低い場合、前記少なくとも一つのモジュールのモードを前記発熱制限モードから前記正常動作モードに変更する動作を含み、
前記表示部の最大明るさは、前記正常動作モードで第１最大明るさに設定され、前記発熱制限モードで第２最大明るさに設定され、
前記第２最大明るさは、前記第１最大明るさよりも暗く、前記少なくとも一つの設定温度値は、前記解除温度値より高く、
前記少なくとも１つのモジュールは、カメラ、充電部及び制御部を含み、
前記方法は、
前記発熱制限モード時に、前記カメラの映像フレームレート（ｖｉｄｅｏ  ｆｒａｍｅ  ｒａｔｅ）及び解像度（ｒｅｓｏｌｕｔｉｏｎ）を所定の設定された値に低減する動作と、前記発熱制限モード時に、前記充電部の充電モードでの充電電流量を低減する動作と、前記発熱制限モード時に、前記制御部のシステムクロックを所定の設定されたクロックに低減する動作のうち、少なくとも一つを含み、
前記発熱制限モード時に前記表示部に伝送される表示データのフレームレートを低減する動作を含み、
前記メモリは、第１設定温度と、前記第１設定温度より低い第２設定温度と、前記第１設定温度未満であり前記第２設定温度以上を維持する維持時間とをさらに格納し、
前記温度感知部において、感知された温度が前記第１設定温度よりも高い場合、前記正常動作モードから前記発熱制限モードに変更する動作と、
前記温度感知部において、感知された温度が前記第１設定温度未満であり前記第２設定温度以上で前記維持時間を維持する場合、前記正常動作モードから前記発熱制限モードに変更する動作を含むことを特徴とする方法。
【請求項１１】
携帯端末機であって、
少なくとも一つの設定温度値及び解除温度値に関するデータを格納するメモリと、
熱を放出する表示部を含む少なくとも１つのモジュールと、
前記少なくとも一つのモジュールに近接して設置される少なくとも１つの温度感知部と、
制御部とを有し、
前記制御部は、
前記少なくとも一つのモジュールのモードを正常動作モードから発熱制限モードに変更するため、前記少なくとも一つの温度感知部の出力を前記少なくとも一つの設定温度値と比べ、
前記少なくとも一つのモジュールの前記モードに対応し、前記表示部の前記発熱制限モードでの最大明るさを設定し、
前記少なくとも一つのモジュールの前記モードを前記発熱制限モードから前記正常動作モードに変更するため、前記少なくとも一つの温度感知部の前記出力を前記解除温度値と比べ、
前記少なくとも一つのモジュールの前記モードに対応し、前記表示部の前記正常動作モードでの最大明るさを設定し、
前記表示部の最大明るさは、前記正常動作モードにおいて、第１最大明るさに設定され、さらに前記発熱制限モードから第２最大明るさに設定され、
前記第２最大明るさは、前記第１最大明るさよりも暗く、前記少なくとも一つの設定温度値は、前記解除温度値より高く、
前記メモリは、第１設定温度と、少なくとも１つの前記第１設定温度より低い第２設定温度と、前記第２設定温度を維持する維持時間とをさらに格納し、
前記制御部は、正常動作モード時に、前記温度感知部の出力が前記第１設定温度より高ければ、前記携帯端末機のすべての発熱源を有するモジュールを前記発熱制限モードで動作させ、前記温度感知部の出力が前記第１設定温度と前記第２設定温度の間に位置すれば、発熱を引き起こすモジュールを判断して、前記発熱を引き起こすモジュールを前記発熱制限モードで動作させることを特徴とする携帯端末機。
【請求項１２】
前記少なくとも１つのモジュールは、カメラ、充電部及び制御部のうち、少なくとも一つで、
前記少なくとも１つの温度感知部は、前記少なくとも一つのモジュールそれぞれに近接して設置され、
前記制御部は、前記発熱制限モード時に、前記カメラの映像フレームレート及び解像度を所定の設定された値に低減し、前記発熱制限モード時に、前記充電部の充電モードでの充電電流量を低減し、前記発熱制限モード時に、前記制御部のシステムクロックを所定の設定されたクロックに低減するように制御することを特徴とする請求項１１に記載の携帯端末機。
【請求項１３】
携帯端末機の温度制御方法であって、
少なくとも一つの設定温度値及び解除温度値に関するデータを格納するメモリと、熱を放出する表示部を含む少なくとも１つのモジュール、及び前記少なくとも一つのモジュールに近接して設置される少なくとも１つの温度感知部を含み、
前記方法は、
前記少なくとも一つのモジュールのモードを正常動作モードから発熱制限モードに変更するため、前記少なくとも一つの温度感知部の出力を前記少なくとも一つの設定温度値と比べる動作と、
前記少なくとも一つのモジュールの前記モードに対応し、前記表示部の前記発熱制限モードでの最大明るさを設定する動作と、
前記少なくとも一つのモジュールの前記モードを前記発熱制限モードから前記正常動作モードに変更するため、前記少なくとも一つの温度感知部の前記出力を前記解除温度値と比べる動作と、
前記少なくとも一つのモジュールの前記モードに対応し、前記表示部の前記正常動作モードでの最大明るさを設定する動作を含み、
前記表示部の最大明るさは、前記正常動作モードにおいて、第１最大明るさに設定され、さらに前記発熱制限モードから第２最大明るさに設定され、
前記第２最大明るさは、前記第１最大明るさよりも暗く、
前記少なくとも一つの設定温度値は、前記解除温度値より高く、
前記メモリは、第１設定温度と、少なくとも１つの前記第１設定温度より低い第２設定温度と、前記第２設定温度を維持する維持時間とをさらに格納し、
前記携帯端末機が過熱状態にあるか否かを判定する段階は、正常動作モード時に前記温度感知部の出力が前記第１設定温度より高ければ、前記携帯端末機のすべての発熱源を有するモジュールを前記発熱制限モードで動作させる段階と、前記温度感知部の出力が前記第１設定温度と前記第２設定温度の間に位置すれば、発熱を引き起こすモジュールを判断して、前記発熱を引き起こすモジュールを前記発熱制限モードで動作させる段階と、を含むことを特徴とする方法。
【発明の詳細な説明】
【技術分野】
【０００１】
本発明は、携帯端末機の動作制御方法に関し、特に携帯端末機の発熱温度によって携帯端末機の動作を制御することができる装置及び方法に関する。
【背景技術】
【０００２】
携帯端末機は、通信、マルチメディアなどの多様な機能を同時に処理することができるように発展する傾向にある。そして、携帯端末機は、携帯性を向上させるために次第に薄くなる傾向にある。すなわち、携帯端末機の厚さは、次第に薄くなって、効率的な熱発散が難しくなるのに対して、携帯端末機は、多様な機能の実行が要求されている。
【０００３】
例えば、携帯端末機は、プロセッサーの数が増加し、最大クロックは高くなっていて、ＬＣＤ（Ｌｉｑｕｉｄ  Ｃｒｙｓｔａｌ  Ｄｉｓｐｌａｙ）が大きくなり、さらに明るい画面が要求されていて、また、大容量のバッテリーに早く充電することが要求されることによって、充電電流が増加していて、さらに、高画素イメージを処理するためのカメラモジュールが搭載されている。
したがって、携帯端末機は、上記のような多様な機能の実行によって発熱原因が増加している。
【０００４】
各部品が動作することができる最大温度で当該部品の発熱を制御しようとする場合、端末機の電源をオフさせることによって、端末機の発熱を阻止することは困難である。
したがって、携帯端末機において発熱の原因になる多様なモジュールで発生する熱は次第に増加するようになる。
従来の携帯端末機においてプロセッサー内部の温度センサーを利用したクロックコントロールすることだけでは、その他のモジュールで発生する熱による過熱を防止することができない。
【発明の概要】
【発明が解決しようとする課題】
【０００５】
本発明の一実施態様では、携帯端末機において発生する発熱を効果的に制御するために、端末の内部温度を感知し、発熱の原因を引き起こすモジュールの動作を制御する装置及び方法を提案する。
また、本発明の他の一実施態様では、携帯端末機において端末機内部の温度を感知することができるセンサーを発熱源の周りに配置し、プロセッサー及びその他の部品による発熱状態を感知し、発熱原因となる部品の動作を調節し、端末機の温度が高くならないように制御することを提案する。
【課題を解決するための手段】
【０００６】
本発明の一実施態様によれば、携帯端末機の温度制御装置は、携帯端末機の温度制御装置において、設定温度値及び解除温度値を格納するメモリと、前記携帯端末機の内部発熱温度を感知する温度感知部と、発熱源を有する少なくとも１つのモジュールと、制御部とを有し、前記制御部は、正常動作モードにおいて、前記携帯端末機が過熱状態にあるか否かを判定するために、前記温度感知部の出力と前記設定温度値とを比較し、もし、過熱状態にある場合、前記少なくとも１つのモジュールが発熱制限モードで動作するよう制御し、前記発熱制限モードにおいて、前記発熱制限モードを解除するか否かを判定するために、前記温度感知部の出力と前記解除温度値とを比較し、当該比較結果に従って前記発熱制限モードが解除される場合、前記正常動作モードに遷移するよう制御することを特徴とする。
【０００７】
本発明の他の一態様によれば、携帯端末機の温度制御方法は、設定温度値及び解除温度値を格納するメモリと、携帯端末機の内部発熱温度を感知する温度感知部と、発熱源を有する少なくとも１つのモジュールとを備える携帯端末機の温度制御方法において、正常動作モードにおいて、温度センサーによって前記携帯端末機の内部発熱温度を感知する段階と、前記感知した温度と前記設定温度値とを比較し、前記携帯端末機が過熱状態にあるか否かを判定する段階と、前記判定段階で過熱状態にあると判定された場合、前記少なくとも１つのモジュールを発熱制限モードで動作するよう制御する段階と、前記発熱制限モード時、前記温度感知部の出力と前記解除温度値とを比較し、前記発熱制限モードを解除するか否かを判定する段階と、前記発熱制限モードを解除するか否かを判定する段階の結果に従って、前記発熱制限モードが解除される場合、正常動作モードに遷移する段階とを有することを特徴とする。
【０００８】
また、本発明の他の一態様によれば、携帯端末機の温度制御装置は、携帯端末機の温度制御装置において、設定温度値及び解除温度値を格納するメモリと、発熱源を有する少なくとも１つのモジュールと、前記モジュールに近接して設置される少なくとも１つの温度感知部と、制御部とを有し、前記制御部は、正常動作モードにおいて、前記少なくとも１つのモジュールが過熱状態にあるか否かを判定するために、前記少なくとも１つの温度感知部の出力と前記設定温度値とを比較し、過熱状態と判定された少なくとも１つのモジュールを発熱制限モードで動作するよう制御し、前記発熱制限モードを解除するか否かを判定するために、前記発熱制限モードで動作する少なくとも１つのモジュールの前記温度感知部の出力と前記解除温度値とを比較し、当該比較の結果に従って、前記少なくとも１つのモジュールの発熱制限モードを解除する場合、前記少なくとも１つのモジュールを正常動作モードに遷移するよう制御することを特徴とする。
【０００９】
また、本発明の他の一態様によれば携帯端末機の温度制御方法は、設定温度値及び解除温度値を格納するメモリと、発熱源を有する少なくとも１つのモジュール、及び前記モジュールに近接して設置される少なくとも１つの温度感知部とを有する携帯端末機の温度制御方法において、正常動作モードにおいて、前記温度感知部の出力と前記設定温度とを比較し、前記携帯端末機が過熱状態にあるか否かを判定する段階と、前記判定段階で前記携帯端末機が過熱状態にあると判定された場合、前記少なくとも１つのモジュールを発熱制限モードで動作するよう制御する段階と、前記発熱制限モードで動作するモジュールの前記温度感知部の出力と前記解除温度値とを比較し、前記発熱制限モードを解除するか否かを判定する段階と、前記判定段階の結果に従って、前記発熱制限モードが解除される場合、当該モジュールを正常動作モードに遷移する段階とを有することを特徴とする。
【発明の効果】
【００１０】
携帯端末機において熱を発生させる原因になるモジュールが多様なので、携帯端末機内部の温度を感知することができるセンサー（例えば、サーミスタ）を発熱源の周りに配置して温度をチェックすることによって、携帯端末機のプロセッサー以外にその他の部品による発熱状態を感知し、発熱原因になる部品の動作を調節し、携帯端末機の温度が高くならないように制御することができる。
これにより、過熱によって発生する使用上の不便、または低温火傷の可能性を防止することができるという利点がある。
すなわち、携帯端末機においてプロセッサーを含んで発熱源になるＬＣＤ、カメラ、充電部などの動作を制御し、携帯端末機の表面温度が過熱される現象を防止することができる。
【図面の簡単な説明】
【００１１】
【図１】本発明の第１の実施形態による携帯端末機の構成を示すブロック図である。
【図２】本発明の実施形態による携帯端末機の発熱温度制御方法を説明するためのフローチャートである。
【図３】本発明の実施形態による内部発熱温度を分析し、携帯端末機に発熱制限モード適用可否を判定する工程を説明するためのフローチャートである。
【図４】本発明の実施形態による内部発熱温度が上昇するとき、発熱源のモジュールを選別的に制御し、内部温度を下降させる工程を説明するためのフローチャートである。
【図５】本発明の第２の実施形態による携帯端末機の構成を示すブロック図である。
【発明を実施するための形態】
【００１２】
以下、添付の図面を参照して本発明の好ましい実施形態の詳細な説明をする。
また、下記の説明では、携帯端末機の表面温度、センサーの換算温度、過熱設定時間などの具体的な特定事項を示しているが、これは、本発明のさらに全般的な理解を助けるために提供されたものに過ぎず、このような特定事項なしに本発明が実施することができることはこの技術分野における通常の知識を有する者に自明であると言える。
【００１３】
本発明は、携帯端末機の内部に温度感知部を内蔵し、リアルタイムでデバイス内部の温度を感知し、この温度情報を利用して発熱源であるモジュールを制御する温度制御部（Ｉｎｔｅｌｌｉｇｅｎｔ  Ｏｖｅｒｈｅａｔｉｎｇ  Ｐｒｏｔｅｃｔｉｏｎ  ｃｏｎｔｒｏｌｌｅｒ）が携帯端末機の過熱を防止するように制御する。
温度制御部は、携帯端末機の制御部に含まれてもよく、また、携帯端末機の制御部と独立的に構成されてもよい。
【００１４】
本発明の実施形態では、携帯端末機の制御部が温度制御部の機能を行うものと仮定して説明する。また、携帯端末機の発熱原因は、表示部、充電部、カメラ、及び制御部の過負荷などになることができる。この場合、制御部は、温度感知部で感知した温度に基づいて携帯端末機の温度が一定水準以上に上がらないようにプロセッサー、ＬＣＤ（Ｌｉｑｕｉｄ  Ｃｒｙｓｔａｌ  ｄｉｓｐｌａｙ）、充電部、カメラなど各モジュールの動作を調節する。
【００１５】
携帯端末機での発熱源を見れば、制御部（Ｐｒｏｃｅｓｓｏｒ）を過度に使用するアプリケーション動作による制御部（Ｐｒｏｃｅｓｓｏｒ）の発熱、充電時に高い充電電流による充電部（Ｃｈａｒｇｅｒ  Ｍｏｄｕｌｅ）の発熱、動画像撮影時にカメラ（Ｃａｍｅｒａ  Ｍｏｄｕｌｅ）での発熱、ゲームなどのようなアプリケーション実行によって大量の表示データを連続的に表示する表示部の発熱などになることができる。
そして、上記のような発熱源によって携帯端末機の内部に熱エネルギーが累積するようになり、このような熱エネルギーによって携帯端末機の表面温度は増加するようになる。
端末の表面温度の増加による使用性の低下を防止するために、内部の温度感知部（例えば、Ｔｈｅｒｍｉｓｔｏｒ）と携帯端末機の表面温度の関係を確認し、低温火傷（ｌｏｗ  ｔｅｍｐｅｒａｔｕｒｅ  ｂｕｒｎ）を防止することができる水準の表面温度（Ｔｗ）維持のために温度感知部で感知される温度を分析し、発熱源になる装置の動作を制御する。
【００１６】
このために、本発明の実施形態では、低温火傷を防止することができる表面温度（Ｔｗ）を設定し、それに相当するサーミスタ温度を実験を通じて確保する。そして、携帯端末機が動作する状態で温度感知部を通じて携帯端末機の内部温度を感知し、制御部は、温度感知部の温度が実験で得た温度以上に上昇するか否かをモニタリングする。
この際、携帯端末機の内部温度上昇が感知されれば、制御部は、携帯端末機の発熱モジュールの動作を制御する。ここで、発熱モジュールは、前述したように、制御部、表示部、カメラ、充電部などと仮定して説明するが、その他、発熱原因を有する他のモジュールの動作が可能である。
【００１７】
本発明の実施形態では、端末の内部温度が上昇したと判断すれば、次のように携帯端末機の発熱モジュールを制御することができる。
まず、制御部は、表示部（ＬＣＤ）の最大明るさ（輝度）（携帯端末機前面の表面温度（Ｔｗ）以下に維持可能な輝度）及び表示部に伝達される表示データの伝送周期（フレームレート）を制限する。
【００１８】
第二に、充電部（Ｃｈａｒｇｅｒ）の充電電流を低減する（携帯端末機側面の表面温度（Ｔｗ）以下に維持可能な電流水準）。例えば、表面温度４５℃（サーミスタ換算５５℃）以上３０分維持すれば、充電電流を低減し、バッテリーの充電量が携帯端末機が安定に動作するための最小バッテリー充電比率（例えば２０％）以下に低下すれば、使用性のためにさらに充電電流を高め、最小バッテリー充電比率以上（例えば２５％）に充電されれば、さらにバッテリーの充電電流を調節することができる（この際、前記温度、時間、バッテリー充電量は、実験または必要に応じて適正な値に変更可能である）。
【００１９】
第三に、カメラのビデオフレームレート（ｖｉｄｅｏ  ｆｒａｍｅ  ｒａｔｅ）及び解像度を制限する（カメラが位置する所の表面温度（Ｔｗ）以下に維持水準）。
第四に、制御部のクロック（Ｐｒｏｃｅｓｓｏｒ  Ｍａｘ  Ｃｌｏｃｋ）を制限する（プロセッサーが位置する前後表面温度（Ｔｗ）以下に維持可能Ｃｌｏｃｋ）。
そして、上記のような発熱モジュールそれぞれの制限水準は、実験を通じて設定することができる。
【００２０】
図１は、本発明の第１の実施形態による携帯端末機の構成を示すブロック図である。
図１を参照すると、通信部１２０は、基地局又は他の装置と無線通信機能を行う。
ここで、通信部１２０は、送信信号の周波数を上昇変換（ｆｒｅｑｕｅｎｃｙ  ｕｐ  ｃｏｎｖｅｒｔｅｒ）及び電力増幅する送信部と、受信信号を低雑音増幅及び周波数を下降変換（ｆｒｅｑｕｅｎｃｙ  ｄｏｗｎ  ｃｏｖｅｒｔｅｒ）する受信部などで構成することができる。
【００２１】
また、通信部１２０は、変調部及び復調部を具備することができる。
ここで、変調部は、送信信号を変調し、送信部に伝達し、復調部は、受信部を通じて受信される信号を復調する。この場合、変調・復調部は、ＬＴＥ（Ｌｏｎｇ  Ｔｅｒｍ  Ｅｖｏｌｕｔｉｏｎ）、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＧＳＭ（登録商標）（Ｇｌｏｂａｌ  Ｓｙｓｔｅｍ  ｆｏｒ  Ｍｏｂｉｌｅ）などになることができ、また、ＷｉＦｉ、ＷｉＢＲＯ（Ｗｉｒｅｌｅｓｓ  Ｂｒｏａｄｂａｎｄ）などになることができ、ＮＦＣ（Ｎｅａｒ  Ｆｉｅｌｄ  Ｃｏｍｍｕｎｉｃａｔｉｏｎ）、Ｂｌｕｅｔｏｏｔｈ（登録商標）などになることができる。
【００２２】
制御部１００は、携帯端末機の全般的な動作を制御し、本発明の実施形態による温度制御機能を行う。
メモリ１１０は、携帯端末機のオペレーションシステム（ＯＳ）及び本発明の実施形態によるプログラムやアプリケーションプログラムを格納するプログラムメモリと、携帯端末機の動作のためのテーブル及びプログラム実行中に発生するデータを格納するデータメモリを具備することができる。特にメモリ１１０は、本発明の実施形態において過熱状態か否かを判定するための温度及び／又は当該温度の維持時間を設定したテーブルを具備する。
【００２３】
温度感知部１３０は、携帯端末機の内部温度を感知し、制御部１００に出力する。
ここで、温度感知部１３０は、サーミスタ（ｔｈｅｒｍｉｓｔｏｒ）になることができる。温度感知部１３０は、携帯端末機において発熱が最も高い場所に装着し、これは、実験的に決定することができる。温度感知部１３０は、制御部１００に近接する位置に装着することができる。
【００２４】
カメラ１４０は、カメラ駆動モード時に制御部１００の制御下で動画像データを所定のビデオフレームレート及び解像度で取得する。
例えばカメラ１４０は、制御部１００の制御下で正常動作モード時では３０ｆｐｓ（３０  ｆｒａｍｅ  ｐｅｒ  ｓｅｃｏｎｄ）及び１０８０ｐ解像度の動画像を取得し、発熱制限モード時では１５ｆｐｓ及び７２０ｐ解像度動画像を取得する。
【００２５】
表示部１５０は、制御部１００の制御下に所定の伝送率のデータを所定の明るさ（ｂｒｉｇｈｔｎｅｓｓ）で表示する。
例えば、表示部１５０は、制御部１００の制御下で正常動作モード時では、制御部１００により６０ＨｚのＵＩ  ｒｅｎｄｅｒｉｎｇ  ｒａｔｅで伝送される表示データを３００ｃｄ（ｃａｎｄｅｌａ）の明るさで表示し、発熱制限モード時では制御部１００により３０ＨｚのＵＩ  ｒｅｎｄｅｒｉｎｇ  ｒａｔｅで伝送される表示データを２３０ｃｄの明るさで表示する。
【００２６】
充電部１６０は、制御部１００の制御下に充電モードで所定の充電電流で図示していないバッテリーを充電する。
例えば、制御部１００の制御下で正常動作モード時では１Ａの充電電流でバッテリーを充電し、発熱制限モード時では４５０ｍＡの充電電流でバッテリーを充電する。
すなわち、充電部１６０は、制御部１０の制御下で発熱制限モードではバッテリーの充電電流を低減する（１Ａ→４５０ｍＡ）。
この際、発熱制限モードの場合でも、バッテリーの充電量が最小充電比率（例えば２０％）以下に低下すれば、制御部１００は、携帯端末機が正常に動作することができるように、充電電流を高め（４５０ｍＡ→１Ａ）、その後、バッテリーの充電量が最小充電比率以上（例えば２５％）に充電されれば、充電電流をさらに調節する（１Ａ→４５０ｍＡ）。
【００２７】
また、制御部１００は、温度感知部１３０の感知温度によって正常動作モード又は発熱制限モードを判定し、発熱制限モード時に内部の発熱量を減らすために上記のようにカメラ１４０、表示部１５０、及び充電部１６０の動作を制御する。
この際、内部の発熱は、制御部１００の過負荷によっても引き起こされ得る。すなわち、ゲームなどの負荷が高いアプリケーションを行うか、または多数のアプリケーションを同時に行う場合、制御部１００は、このような過負荷によって内部発熱温度を高めるようになる。この場合、制御部１００は、所定のシステムクロックに低減する。例えば、制御部１００は、正常動作モードで最大システムクロック（例えば１．４ＧＨｚ）まで使用するが、発熱制限モードでは、所定のクロック（例えば５００ＭＨｚ）まで使用する。
【００２８】
上記のような構成を有する本発明の実施形態による携帯端末機において携帯端末機の表面温度と温度感知部１３０で感知される内部発熱温度は、互いに異なり得る。したがって、ユーザが感じることができる携帯端末機の表面温度と温度感知部１３０で感知される内部温度を実験的に測定し、内部発熱状態であることを決定するための温度を設定する。
ここで、温度感知部１３０を制御部１００に近接する位置に設置する場合、下記の表１のような温度結果を得ることができる。下記の表１で、表面温度は、携帯端末機の表面温度を示し、感知温度は、携帯端末機の内部で感知される表面温度にそれぞれ対応する温度になる。
【００２９】
【表１】
0006286357.tif 000002
【００３０】
この際、携帯端末機の過熱状態を判定するための感知温度は、多様な方法で決定することができる。すなわち、発熱状態を判定するための温度は、純粋感知温度だけで設定することができ、また、感知温度と当該感知温度が維持される時間を併合して設定することもできる。
例えば、前者の場合は、感知温度が６１℃（表面温度５０℃）に感知されれば、制御部１００は、携帯端末機を発熱制限モードで動作させる。
表１のような温度の場合、感知温度及び維持時間を結合し、発熱制限モードで動作させるための制限温度（Ｔｗ）を設定することができる。
例えば、下記の表２のように、制限温度（Ｔｗ）を設定することができ、これは、メモリ１１０にテーブルで格納することができる。
【００３１】
【表２】
0006286357.tif 000003
【００３２】
上記表２で、感知温度（Ｔｔ）は、温度感知部１３０で感知される内部発熱温度であり、感知温度（Ｔｔ）が維持される時間が表２の対応する維持時間の間、持続すれば、制御部１００は、設定温度（Ｔｗ）で判定し、発熱制限モードを動作させる。
この場合、制御部１００は、内部タイマーを利用して維持時間をカウントすることができる。この際、制御部１００は、感知温度（Ｔｔ）が変更されれば、これによって維持時間を対応する時間に変更し、温度及び時間を検査する。
【００３３】
また、本発明の実施形態で内部発熱を引き起こすモジュールは、カメラ１４０、表示部１５０、充電部１６０及び制御部１００などと仮定し、この場合、正常動作モード及び発熱制限モードでの動作は、下記表３の通りであると仮定する。
【００３４】
【表３】
0006286357.tif 000004
【００３５】
したがって、上記表３の場合、カメラ１４０は、正常動作モードでは、秒当たり１０８０ピクセル、３０フレームの動画像を取得するのに対し、発熱制限モードでは、秒当たり７２０ピクセル、１５フレームの動画像を取得することによって、カメラ１４０の発熱を減らすように動作する。
また、表示部１５０は、正常動作モードでは、制御部１００の内部のバッファーに格納するフレームデータを６０Ｈｚ周期で受信し、これを３００ｃｄの明るさで表示するのに対し、発熱制限モードでは、制御部１００の内部のバッファーに格納するフレームデータを３０Ｈｚ周期で受信し、これを２３０ｃｄの明るさで表示し、表示部１５０の発熱を減らすようにする。
【００３６】
また、充電部１６０は、正常動作モードでは、１Ａの充電電流でバッテリーを充電し、発熱制限モードでは、４５０ｍＡでバッテリーを充電し、充電モード時の発熱を減らす。
そして、制御部１００は、正常動作モードでは、最大１．４ＧＨｚのシステムクロックを使用し、発熱制限モードでは、最大５００ＭＨｚのシステムクロックを使用することで、システム過負荷時の制御部１００の発熱を減らす。
【００３７】
また、発熱制限モードを設定するための設定温度（Ｔｗ）とともに発熱制限モードを解除するための解除温度（Ｔｓ）が必要である。
解除温度（Ｔｓ）は、特定感知温度として決定することができ、また、発熱制限モードが行われている状態で感知温度（Ｔｔ）が一定温度以下に低減する場合の温度として決定することもできる。
例えば、前者の場合、解除温度（Ｔｓ）を５０℃又は５１℃に設定することができる。
そして、後者の場合、上記表２のように、設定温度（Ｔｗ）を決定する場合、現在の感知温度（Ｔｔ）がさらに低い感知温度を感知する場合として仮定する。
例えば、感知温度（Ｔｔ）が６１℃から５９℃、５９℃から５４℃、５４℃から５１℃、５１℃以下に低減する場合、または６１℃から５４℃、５９℃から５１℃、又は５１℃以下に低減する場合に、これらを解除温度（Ｔｓ）として決定することができる。
【００３８】
図２は、本発明の実施形態による携帯端末機の発熱温度制御方法を説明するためのフローチャートである。
ここで、発熱源を有するモジュールは、制御部１００、カメラ１４０、表示部１５０、及び充電部１６０と仮定し、この際の正常動作モード及び発熱制限モードの動作は、上記表３の通りであると仮定する。
【００３９】
図２を参照すると、Ｓ２１１段階の正常動作モードで、制御部１００は、最大システムクロックまで使用することができ、カメラ１４０は、最大解像度及びビデオフレームレートで動画像を取得することができ、表示部１５０は、制御部１００により伝送される最大伝送レートの表示データを受信し、最大明るさで表示することができ、充電部１６０は、充電モード時に最大充電電流でバッテリーを充電することができる。
上記のように、正常動作モードを行う制御部１００は、Ｓ２１３段階で、温度感知部１３０を通じて感知される内部発熱温度を受信し、内部発熱温度を分析する。
その後、制御部１００は、Ｓ２１５段階で、感知温度（Ｔｔ）が設定温度（Ｔｗ）より大きいか否かを判断し、正常動作モード又は発熱制限モードを判定する。
Ｓ２１３段階及びＳ２１５段階の温度分析工程は、以下の図３のような手続で行うことでなされる。
【００４０】
図３は、本発明の実施形態による内部発熱温度を分析し、携帯端末機の発熱制限モード適用可否を判定する工程を説明するためのフローチャートである。
図３を参照すると、制御部１００は、一定時間単位で温度感知部１３０の出力を入力し、携帯端末機の内部発熱温度を分析する。
【００４１】
Ｓ３１１段階で、制御部１００は、感知設定時間になったかどうかを判断する。
そして、Ｓ３１３段階で、制御部１００は、温度感知部１３０が携帯端末機の内部発熱温度を感知して出力するよう制御しそれを受信する。
【００４２】
次に、制御部１００は、Ｓ３１５段階及びＳ３１９段階で、感知温度を分析する。
ここで、感知温度（Ｔｔ）が、前記表２に示したように、第１設定温度（Ｔｗ１）に到逹すれば、直ちに発熱制限モードを行い、第２設定温度（Ｔｗ２）に到逹すれば、対応する時間の間、第２設定温度Ｔｗ２を維持して、発熱制限モードを行う。
表２の場合、第１設定温度（Ｔｗ１）は、６１℃となり、第２設定温度（Ｔｗ２）は、それぞれ５９、５４、及び５１℃となり、維持時間は、それぞれ５分、３０分、４時間となる。したがって、第１設定温度（Ｔｗ１）以上が感知されれば、制御部１００は、Ｓ３１５段階で、温度感知部１３０で感知した温度を判定し、Ｓ３１７段階に進行して、温度制御のための発熱制限モードに遷移する。
【００４３】
しかし、Ｓ３１５段階で、感知温度（Ｔｔ）が、第１設定温度（Ｔｗ１）より低い場合、制御部１００は、Ｓ３１９段階で、第２設定温度（Ｔｗ２）かどうかを判定し、Ｓ３２１段階で、当該温度で所定の時間の間、第２設定温度Ｔｗ２を維持するかを判定し、所定の時間の間維持される場合には、Ｓ３１７段階に進行し、そうではなければ、Ｓ３２３段階で、維持時間を増加させた後にリターンする。
すなわち、前記表２のような場合、第２設定温度（Ｔｗ２）が５９℃なら、制御部は、Ｓ３２１段階で、５分経過したどうかを判定し、５分経過した場合には、Ｓ３１７段階に進行して発熱制限モードに遷移し、そうではなければ、Ｓ３２１段階で、維持時間を増加させた後、図２にリターンする。
【００４４】
また、第２設定温度（Ｔｗ２）が５４℃なら、３０分が経過したかを判定し、３０分が経過したら発熱制限モードに遷移し、そうではなければ、維持時間を増加させた後、図２にリターンし正常動作モードを行い、第２設定温度（Ｔｗ２）が５１℃である場合には、４時間が経過したかを判定し、４時間が経過したら発熱制限モードに遷移し、そうではなければ、維持時間を増加させた後、図２にリターンし正常動作モードを行う。
しかし、感知温度（Ｔｔ）が第２設定温度（Ｔｗ２）より低ければ、図２にリターンし、正常動作モードを行う。
【００４５】
ここで、温度分析工程で内部発熱温度が増加する場合（例えば、５１℃から５４℃に増加、５４℃から５９℃に増加）には、当該温度の維持時間に変更し、さらに温度分析工程を行い、５９℃から６１℃に変更する場合には、維持時間と関係なく直ちに発熱制限モードに遷移する。
また、携帯端末機の内部発熱温度が減少する場合（例えば６１℃から５９℃、５９℃から５４℃、５４℃から５１℃）には、当該温度の維持時間に変更し、温度分析工程を行う。
また、この際、内部温度が増加又は減少する場合、ある程度の経過時間（例えば３０秒又は１分など）を待機した後、次の工程を行うことができる。
【００４６】
したがって、図２で、感知温度（Ｔｔ）が設定温度（Ｔｗ）より大きい場合、制御部１００は、Ｓ２１５段階で、これを判定し、Ｓ２１７段階で、携帯端末機の内部温度を減少させるために発熱制限モードで動作させる。
この際、発熱制限モードの場合、表３に示したように、カメラ１４０のビデオフレームレート及びピクセル数（解像度）、表示部１５０の表示データの伝送レート及び明るさ、充電モードの場合、充電部１６０の充電電流、及び制御部１００のシステムクロックなどを発熱制限モードで所定の値で動作するよう制御する。上記のように、発熱制限モードで動作する場合、携帯端末機の内部発熱温度は下降し始まり、上記のような状態で、制御部１００は、Ｓ２１９段階で、温度感知部１３０を通じて端末機の内部温度を感知、確認した後、Ｓ２２１段階で、感知温度（Ｔｔ）が解除温度（Ｔｓ）より小さいかどうかを判定する。
【００４７】
ここで、解除温度（Ｔｓ）は、１つの所定の解除温度（例えば表２の場合、５１℃になることができる）を使用することができ、設定温度と類似の方法で多数の解除温度及び設定時間を使用することができる。
本発明の実施形態では、１つの解除温度を使用する方法と仮定して説明する。
したがって、感知温度（Ｔｔ）が解除温度（Ｔｓ）より高い場合、制御部１００は、Ｓ２１７段階に戻って、上記のような内部制限すべてを行い、低い場合、制御部１００は、Ｓ２１１段階に進行し、端末機を正常動作モードに遷移させて動作させる。
すなわち、制御部１００は、内部発熱温度が解除温度（Ｔｓ）より低くなれば、カメラ１４０、表示部１５０、充電部１６０、及び制御部１００を表２の正常動作モードの値で制御する。
【００４８】
図２では、正常動作モードで発熱制限モードを行うための設定温度（Ｔｗ）を感知すれば、制御部１００は、内部発熱源を有するすべてのモジュール（ここではカメラ、表示部、充電部、制御部など）の動作を制御する。
しかし、正常動作モードを行っている間に、内部温度が設定温度（Ｔｗ）まで上昇すれば、制御部１００は、発熱原因を分析し、対応するモジュールの動作のみを選別的に制御する方法を使用することができる。
【００４９】
図４は、本発明の実施形態による内部発熱温度が上昇するとき、発熱源のモジュールを選別的に制御し、内部温度を下降させる工程を説明するためのフローチャートである。
図４を参照すると、制御部１００は、Ｓ４１１段階で、正常動作モードを行う。
【００５０】
Ｓ４１３段階及びＳ４１５段階で、図３のように、温度感知部１３０を通じて端末機の内部温度を感知し、内部発熱温度を分析する。
この際、発熱温度分析方法は、図３のような工程で行うことができる。
感知温度（Ｔｔ）が設定温度（Ｔｗ）より高い場合、制御部１００は、Ｓ４１７段階で発熱原因を分析する。
すなわち、端末機の内部温度が上昇すれば、制御部１００は、現在動作中のアプリケーションを分析し、内部温度を上昇させる原因になるモジュールを確認し、当該モジュールを発熱制限モードで動作させる。
【００５１】
この際、ここで、発熱原因がカメラ１４０の場合、制御部１００は、Ｓ４１９段階及びＳ４２１段階を通じてカメラ１４０を発熱制限モードで動作させる。
また、発熱原因が表示部１５０なら、制御部１００は、Ｓ４２３段階及びＳ４２５段階を通じて表示部１５０を発熱制限モードで動作させる。
そして、現在充電モードであり、発熱源が充電部１６０なら、制御部１００は、Ｓ４２７段階及びＳ４２９段階を通じて充電部１６０を発熱制限モードで動作させる。
また、発熱原因がシステム過負荷なら、制御部１００は、Ｓ４３１段階及びＳ４３３段階を通じて制御部１００のシステムクロックを発熱制限モードで動作させる。
ここで、発熱制限モードでのカメラ１４０、表示部１５０、充電部１６０での動作、及びシステムクロックは、表３のように設定することができる。
【００５２】
この際、Ｓ４１７段階で、分析された発熱原因が複数個の場合には、対応する各々のモジュールの動作を発熱制限モードで制御することができる。
Ｓ４３３段階又はＳ４３５段階を行った後、制御部１００は、Ｓ４３５段階で、温度感知部１３０を通じて端末機の内部温度を感知した後、これを分析し、Ｓ４３７段階で、感知温度（Ｔｔ）が解除温度（Ｔｓ）と同一か又は低いかを判定する。この際、感知温度（Ｔｔ）が解除温度（Ｔｓ）と同一か又は低いと判定すれば、制御部１００は、発熱制限モードを解除し、Ｓ４１１段階に戻って、端末機を正常動作モードで動作させ、そうではなければ、制御部１００は、Ｓ４１７段階に戻って、端末機の発熱制限モード動作を維持させる。
【００５３】
また、本発明の実施形態では、設定温度（Ｔｗ）を第１設定温度（Ｔｗ１）及び第２設定温度（Ｔｗ）に設定し、感知温度（Ｔｔ）が第１設定温度（Ｔｗ１）（例えば、表２の６１℃）になれば、制御部１００は、端末機内のすべての発熱するモジュール（カメラ、表示部、充電部、システムクロック）を発熱制限モードで動作させ、感知温度（Ｔｔ）が第１設定温度（Ｔｗ１）及び第２設定温度（Ｔｗ２）（例えば表２の５１℃、５４℃、又は５９℃の内のいずれか１つ）の間に位置すれば、発熱を引き起こすモジュールを判断して、当該モジュールを発熱制限モードで動作させる方法を使用することができる。
【００５４】
図５は、本発明の第２の実施形態による携帯端末機の構成を示すブロック図である。
図５を参照すれば、通信部１２０は、基地局又は他の装置と無線通信機能を行う。通信部１２０は、図１の通信部と同一の構成及び機能を行うことができる。
【００５５】
制御部１００は、携帯端末機の全般的な動作を制御し、本発明の第２の実施形態による温度制御機能を行う。
メモリ１１０は、端末機のオペレーションシステム（ＯＳ）及び本発明の実施形態によるプログラムやアプリケーションプログラムを格納するプログラムメモリと、端末機の動作のためのテーブル及びプログラム実行中に発生するデータを格納するデータメモリを具備することができる。
特にメモリ１１０は、本発明の実施形態によって過熱状態であるか否かを判定するための温度及び／又は当該温度の維持時間を設定したテーブルを具備することができる。
【００５６】
温度感知部１０５は、制御部１００に近接する位置に装着し、制御部１００及び制御部１００付近の内部温度を感知し、制御部１００に出力する。
携帯端末機の発熱は、制御部１００の過負荷によっても引き起こされ得る。
すなわち、ゲームなどの負荷が高いアプリケーションを行うか、又は多数のアプリケーションを同時に行う場合、制御部１００は、このような過負荷によって内部発熱温度を高めるようになる。この場合、温度感知部１０５は、制御部１００の発熱を感知し、制御部１００に伝達し、制御部１００は、自身が過熱状態であると感知した時、所定のシステムクロックに低減する。例えば、制御部１００は、正常動作モードでは最大システムクロック（例えば１．４ＧＨｚ）まで使用するが、発熱制限モードでは、所定のクロック（例えば５００ＭＨｚ）まで使用する。
【００５７】
カメラ１４０は、カメラ駆動モード時に制御部１００の制御下で動画像データを所定のフレームレート及び解像度で取得する。温度感知部１４５は、カメラ１４０の温度を感知し、制御部１００に伝達する。制御部１００は、温度感知部１４５で感知した温度に従ってカメラ１４０を正常動作モード又は発熱制限モードで動作させる。
例えば、カメラ１４０は、制御部１００の制御下で正常動作モード時では３０ｆｐｓ（３０  ｆｒａｍｅ  ｐｅｒ  ｓｅｃｏｎｄ）及び１０８０ｐ解像度の動画像を取得し、発熱制限モード時では１５ｆｐｓ及び７２０ｐ解像度の動画像を取得する。
【００５８】
表示部１５０は、制御部１００の制御下で所定の伝送レートと所定の明るさ（ｂｒｉｇｈｔｎｅｓｓ）で表示データを表示する。温度感知部５５は、表示部１５０の温度を感知し、制御部１００に伝達する。制御部１００は、温度感知部１５５で感知した温度に従って表示部１５０を正常動作モード又は発熱制限モードで動作させる。
例えば、表示部１５０は、制御部１００の制御下で正常動作モード時では制御部１００により６０ＨｚのＵＩ  ｒｅｎｄｅｒｉｎｇ  ｒａｔｅで伝送される表示データを３００ｃｄ（ｃａｎｄｅｌａ）の明るさで表示し、発熱制限モード時では制御部１００により３０ＨｚのＵＩ  ｒｅｎｄｅｒｉｎｇ  ｒａｔｅで伝送される表示データを２３０ｃｄの明るさで表示する。
【００５９】
温度感知部１６５は、充電部１６０の温度を感知し、制御部１００に伝達する。制御部１００は、温度感知部１６５で感知した温度に従って充電部１６０を正常動作モード又は発熱制限モードで動作させる。
例えば、充電部１６０は、制御部１００の制御下で充電モードにて所定の充電電流で図示していないバッテリーを充電する。例えば、制御部１００の制御下で正常動作モード時では１Ａの充電電流でバッテリーを充電し、発熱制限モード時では４５０ｍＡの充電電流でバッテリーを充電する。
【００６０】
また、充電部１６０は、制御部１００の制御下で発熱制限モードではバッテリーの充電電流を低減し（１Ａ→４５０ｍＡ）、発熱制限モードの場合、バッテリーの充電量が最小充電比率（例えば２０％）以下に低下すれば、制御部１００は、携帯端末機が正常に動作することができるように、充電電流を高め（４５０ｍＡ→１Ａ）、その後、バッテリーの充電量が最小充電比率以上（例えば２５％）に充電されれば、充電電流をさらに調節することができる（１Ａ→４５０ｍＡ）。
【００６１】
また、制御部１００は、温度感知部（１０５、１４５、１５５、１６５）の感知温度に従ってそれぞれ対応するモジュールの正常動作モード又は発熱制限モードを判定し、発熱制限モード時に内部の発熱量を減らすために上記のように対応するカメラ１４０、表示部１５０、及び／又は充電部１６０の動作を制御する。
【００６２】
図５のような構成で、制御部１００は、端末機の各モジュール別にそれぞれ発熱温度を測定した後、過熱状態のモジュールをそれぞれ制御し、携帯端末機の過熱を制御することができる。この場合、制御部１００は、図４に示したような工程で携帯端末機の過熱状態を制御することができる。
【００６３】
すなわち、制御部１００は、Ｓ４１１段階で、正常動作モードを行い、Ｓ４１３段階及びＳ４１５段階で、温度感知部１０５、温度感知部１４５及び温度感知部１５５を通じて各モジュールの温度を感知及び分析する。
また、充電モード時に温度感知部１６５を通じて充電部１６０の温度を感知する。この際、充電モードは、正常動作モードを行う間に行うことができ、また、携帯端末機が動作しない状態で充電モードのみを行うことができる。
【００６４】
以下の説明では、正常動作モードを行う間に充電モードも一緒に行われる場合を仮定して説明する。
この際、温度感知部（１０５、１４５、１５５、及び／又は１６５）で感知される感知温度（Ｔｔ）が設定温度（Ｔｗ）より高い場合、制御部１００は、当該モジュールを発熱制限モードで動作させる。
【００６５】
この際、ここで、発熱原因がカメラ１４０なら、制御部１００は、カメラ１４０を発熱制限モードで動作させ、発熱原因が表示部１５０なら、制御部１００は、表示部１５０を発熱制限モードで動作させ、発熱原因が充電部１６０なら、制御部１００は、充電部１６０を発熱制限モードで動作させる。
また、発熱原因がシステム過負荷なら、制御部１００は、システムクロックを発熱制限モードで動作させる。ここで、発熱制限モードでのカメラ１４０、表示部１５０、充電部１６０の動作、及びシステムクロックは、前記表３のように設定することができる。
この際、発熱原因が複数個の場合には、対応する各モジュールの動作を発熱制限モードで制御することができる。上記のように、携帯端末機が過熱状態なら、制御部１００は、発熱原因を提供するモジュール別に発熱制限モードを行う。
【００６６】
発熱制限モードを行う状態で、制御部１００は、発熱制限モードで動作するモジュールの温度感知部を通じて当該モジュールの温度を感知した後、これを分析し、当該モジュールの感知温度（Ｔｔ）が解除温度（Ｔｓ）と同一か、又は低いかを判定する。
この際、発熱制限モードで動作するモジュールの感知温度（Ｔｔ）が解除温度（Ｔｓ）と同一か、又は低いと判定すれば、制御部１００は、当該モジュールの発熱制限モードを解除し、当該モジュールを正常動作モードで動作させ、そうではなければ、制御部１００は、当該モジュールの発熱制限モード動作を維持させる。
【００６７】
上述したように、携帯端末機において熱を発生させる原因になるモジュールが多様なので、端末機内部の温度を感知することができるセンサー（例えば、サーミスタ）を発熱源の周りに配置し、温度をチェックすることによって、携帯端末機のプロセッサー以外にその他の部品による発熱状態を感知し、発熱原因になる部品の動作を調節し、端末機の温度が高くならないように制御することができ、これにより、過熱によって発生する使用上の不便、又は低温火傷の可能性を防止することができるという利点がある。すなわち、携帯端末機においてプロセッサーを含んで発熱源になるＬＣＤ、カメラ、充電部などの動作を制御し、端末機の表面温度が過熱される現象を防止することができる。
【００６８】
本明細書と図面に開示した本発明の実施形態は、本発明の技術内容を容易に説明し、本発明の理解を助けるために特定例を提示したものに過ぎず、本発明の範囲を限定しようとするものではない。
ここに開示された実施形態以外にも、本発明の技術的思想に基づく他の変形例が実施可能であることは、本発明の属する技術分野における通常の知識を有する者に自明である。
【符号の説明】
【００６９】
１００    制御部
１１０    メモリ
１２０    通信部
１３０、１０５、１４５、１５５、１６５    温度感知部
１４０    カメラ
１５０    表示部
１６０    充電部
【図１】
0006286357.tif 000005
【図２】
0006286357.tif 000006
【図３】
0006286357.tif 000007
【図４】
0006286357.tif 000008
【図５】
0006286357.tif 000009